(57)【要約】【課題】多段階の温度閾値に対応可能で、温度状態の重要度に応じて警報送信先を設定可能な監視コントローラを提供する。【解決手段】温度センサ１３および温度センサ１４は、例えばプランタ３の設置されたビニールハウス２内に設置され、有線にてセンササーバ１０に接続される。また、温度センサ１６および温度センサ１７は、無線受信部１５を介して無線にてセンササーバ１０に接続される。センササーバ１０は、インターネット１０００に接続され、インターネット１０００に接続されたメールサーバ２０００Ａを介してビニールハウス管理者２０００Ｂの携帯電話、ビニールハウスオーナー３０００、統括管理者４０００にメールを送信することができる。【選択図】図１
2007280131.tif 000002
【特許請求の範囲】
【請求項１】
温度を測定可能な温度センサと、
前記温度センサより出力される温度データと、複数の温度閾値を記憶する記憶部と、
前記温度データが前記温度閾値を越えた場合に外部にメッセージを送信可能なメッセージ送信機能部とを有することを特徴とする監視コントローラ。
【請求項２】
温度を測定可能な温度センサと、
前記温度センサより出力される温度データと、複数の温度閾値を記憶する記憶部と、
前記温度データが前記温度閾値を越えた場合に外部にメッセージを送信可能で、前記閾値ごとに送信先を設定可能なメッセージ送信機能部とを有することを特徴とする監視コントローラ。
【請求項３】
前記メッセージ送信機能部は、前記閾値を前記温度データが越えた時間を積算し、積算値が一定以上に達した場合に外部にメッセージを送信することを特徴とする請求項１または２に記載の監視コントローラ。
【請求項４】
温度および湿度を測定可能なセンサと、
前記センサより出力される出力データと、複数の閾値を記憶する記憶部と、
前記出力データが前記閾値を越えた場合に外部にメッセージを送信可能で、前記閾値ごとに送信先を設定可能なメッセージ送信機能部とを有することを特徴とする監視コントローラ。
【発明の詳細な説明】
【技術分野】
【０００１】
本発明は、温度、湿度を遠隔監視可能な監視コントローラに関し、特に温度監視の閾値を多段階に設定して監視可能な監視コントローラ関する。
【背景技術】
【０００２】
従来の技術として、上限と下限の温度閾値を設定可能で、温度履歴を記録可能な遠隔監視システムがある（例えば特許文献１）。
【０００３】
この遠隔監視システムは、温度を測定し履歴を記録可能な温度センサを複数有し、温度センサに設定された温度閾値の上限および下限を逸脱した温度が観測されると温度センサに接続されたデータ受送信機より警報が発信される。警報は中継局を介してサーバーへと送信され、サーバーよりメール形式にて携帯電話にメッセージが送信される。
【特許文献１】特開２００３−８３８１４号公報
【発明の開示】
【発明が解決しようとする課題】
【０００４】
しかし、従来の遠隔監視システムによると、設定可能な温度閾値は上限と下限の設定のみであり、多様な温度変化に対応できないという問題がある。また、警報の送信先も１カ所のみの設定であり、温度状態の重要度に応じて送信先の変更に対応できないという問題がある。
【０００５】
従って、本発明の目的は、多段階の温度閾値に対応可能で、温度状態の重要度に応じて警報送信先を設定可能な監視コントローラを提供することにある。
【課題を解決するための手段】
【０００６】
（１）本発明は上記目的を達成するため、温度を測定可能な温度センサと、前記温度センサより出力される温度データと、複数の温度閾値を記憶する記憶部と、前記温度データが前記温度閾値を越えた場合に外部にメッセージを送信可能なメッセージ送信機能部とを有することを特徴とする監視コントローラを提供する。
【０００７】
このような構成によれば、温度閾値を複数設定できるため、正常と判断される温度域が狭い等の厳しい条件を満たす温度管理が可能となる。
【０００８】
（２）また、本発明は上記目的を達成するため、温度を測定可能な温度センサと、前記温度センサより出力される温度データと、複数の温度閾値を記憶する記憶部と、前記温度データが前記温度閾値を越えた場合に外部にメッセージを送信可能で、前記閾値ごとに送信先を設定可能なメッセージ送信機能部とを有することを特徴とする監視コントローラを提供する。
【０００９】
このような構成によれば、（１）の効果に加え、閾値ごとにメッセージ送信先を変更できるため、管理者の管理レベルに応じたメッセージ配信が可能となる。
【００１０】
（３）また、本発明は上記目的を達成するため、温度および湿度を測定可能なセンサと、前記センサより出力される出力データと、複数の閾値を記憶する記憶部と、前記出力データが前記閾値を越えた場合に外部にメッセージを送信可能で、前記閾値ごとに送信先を設定可能なメッセージ送信機能部とを有することを特徴とする監視コントローラを提供する。
【００１１】
このような構成によれば、（２）の効果を湿度に関しても実現可能となる。
【発明の効果】
【００１２】
本発明によれば、多段階の温度閾値にて温度管理することができる。
【発明を実施するための最良の形態】
【００１３】
以下に、本発明の監視コントローラの実施の形態を図面を参考にして詳細に説明する。
【００１４】
図１は、本発明の実施の形態に関する監視コントローラの設置例および外部との接続を示す概略図である。
【００１５】
温度センサ１３および温度センサ１４は、例えばプランタ３の設置されたビニールハウス２内に設置され、有線にてセンササーバ１０に接続される。また、温度センサ１６および温度センサ１７は、無線受信部１５を介して無線にてセンササーバ１０に接続される。
【００１６】
センササーバ１０は、インターネット１０００に接続され、インターネット１０００に接続されたメールサーバ２０００Ａを介してビニールハウス管理者２０００Ｂの携帯電話、ビニールハウスオーナー３０００、統括管理者４０００にメールを送信することができる。
【００１７】
（監視コントローラの構成）
図２は、本発明の実施の形態に関する監視コントローラの構成を示す概略図である。
【００１８】
この監視コントローラ１は、内部にＣＰＵ（Ｃｅｎｔｒａｌ  Ｐｒｏｃｅｓｓｉｎｇ  Ｕｎｉｔ）等の制御部やＳＲＡＭ（Ｓｔａｔｉｃ  Ｒａｎｄｏｍ  Ａｃｃｅｓｓ  Ｍｅｍｏｒｙ）等の記憶媒体を有し外部との接続端子としてＬＡＮケーブル２０９が接続されたイーサネット（登録商標）端子２０４とＲＳ−２３２Ｃ端子２０７と入出力端子２００とを有するセンササーバ１０と、各センサと接続されてセンササーバ１０および認証キーソケットと電源と信号をともに送信可能な１−ＷＩＲＥ２０１および２０８により接続される接点ユニット１１と、音声ユニット付きの認証キーソケット１２と、温度および湿度を計測する有線の温度センサ１３、温度センサ１４と、各無線センサの信号を受信する無線受信部１５と、無線の温度センサ１６、および温度センサ１７とを有する。
【００１９】
センササーバ１０、接点ユニット１１、温度センサ１３、１４および認証キーソケット１２はそれぞれ電力供給および信号送信が可能な１−ＷＩＲＥ２０１、および２０８にて接続されている。温度センサ１３、温度センサ１４、温度センサ１６、および温度センサ１７が設置された設備は監視され、各センサからの信号はセンササーバ１０に送信され、異常ログは内部の記憶装置に記録されて、ＬＡＮケーブル２０９を介して外部ネットワーク上の機器に情報送信が可能である。監視の実行、および解除は認証キーソケット１２に図示しない専用の認証キーを用いて照合することで変更可能である。
【００２０】
図３は、本発明の実施の形態に関する監視コントローラの構成を示すブロック図である。
【００２１】
センササーバ１０は、信号入出力部２０と信号処理部３０とからなり、各部に共通して各信号回路を駆動する駆動回路３０１を含んだＣＰＵ等の電子部品からなる主制御部３００が設置される。
【００２２】
信号入出力部２０は、１−ＷＩＲＥ２０１により接点ユニット１１に接続される入出力端子２００と、イーサネット端子２０４と信号線２０３により接続されてイーサネット信号を処理するためのドライバ２０２と、ＲＳ−２３２Ｃ端子２０７と信号線２０６により接続されてＲＳ−２３２Ｃ信号を処理するためのＲＳ−２３２Ｃドライバ２０５とを有する。
【００２３】
信号処理部３０は、時刻信号を主制御部３００へ発信する時計回路３０２と、記憶部３１０を有する。記憶部３１０は、主制御部３００に接続され揮発性の記憶媒体であるＳＲＡＭ３１１と、ＳＲＡＭ３１１に接続され不揮発性の記憶媒体であるフラッシュメモリ３１２と、ＳＲＡＭ３１１に電力を供給する電源を監視する電源監視部３１３と、電力供給部４０からＳＲＡＭ３１１に電力供給されない場合に補助的に電力を供給するバックアップ電源３１４とから構成される。
【００２４】
接点ユニット１１は、Ｃｈ１からＣｈ８の８チャンネルからなる入出力部１１１を有する８ｃｈアドレススイッチ１１０を有する。
【００２５】
電力供給部４０は、ＡＣ１００Ｖを供給するコンセントに接続されるための電源コネクタ４００と、入力されるＡＣ電源のノイズを除去するノイズフィルタ４０１と、ＡＣ１００Ｖの電源をＤＣ５Ｖに変換するスイッチング電源部４０２と、ＤＣ５ＶをＤＣ３．２Ｖに降圧するレギュレータ回路４０３と、ＤＣ３．２ＶをＤＣ１．８Ｖに降圧するレギュレータ回路４０４とを有する。
【００２６】
また、電力供給部４０は、ＤＣ１．８Ｖ、３．２Ｖ、５Ｖの３種類の電圧を出力できるため、監視コントローラ１の各部の定格電圧に適した電力を供給可能である。
【００２７】
（実施の形態の動作）
以下に、本発明の実施の形態における監視コントローラの動作を図１から図４を参照しつつ説明する。
【００２８】
図４は、本発明の実施の形態に関する温度センサの測定した温度履歴を示すグラフ図である。温度センサ１３、１４、１６、１７は、すべて同様に動作し、以下では代表的に温度センサ１３について記述する。
【００２９】
温度センサ１３は、気温の変化に基づき定められた間隔で温度を測定しセンササーバ１０に送信する。センササーバ１０は、図４に示すようなデータを受信し、ＳＲＡＭ３１１内に温度履歴情報として記憶する。また、ＳＲＡＭ３１１内には予め定められた温度閾値が記憶されており、例えば高温異常（１０℃以上）、高温警報（８〜１０℃）、低温警報（２〜４℃）、低温異常（２℃以下）の状態を感知すると、主制御部３００が異常状態と判断し、イーサネット端子２０４とＬＡＮケーブル２０９を介してインターネット１０００に接続し、メールサーバ２０００Ａにより外部へメールを送信する。
【００３０】
ビニールハウス２の温度が低温警報である４℃に達した場合（図４；Ａ）、センササーバ１０はビニールハウス管理者２０００Ｂの携帯電話に低温警報を送信する。この時、低温警報状態になった時刻、低温警報状態にあった積算時間、および低温警報状態にあった積算温度、ビニールハウス２のＩＤ情報等を送信する。図４；Ｃにおける状態でも同様に動作する。
【００３１】
高温警報である８℃に達した場合（図４；Ｂ）も図４；Ａ、Ｃの場合と同様に、センササーバ１０はビニールハウス管理者２０００Ｂの携帯電話に高温警報を送信する。この時、高温警報状態になった時刻、高温警報状態にあった積算時間、および高温警報状態にあった積算温度、ビニールハウス２のＩＤ情報等を送信する。
【００３２】
ビニールハウス２の温度がＤＥ間、およびＧＦ間において低温警報を、ＨＩ間、およびＩＪ間において高温警報を、同様の方法でビニールハウス管理者２０００Ｂの携帯電話に送信する。
【００３３】
ビニールハウス２の温度がＥＦ間の状態においては、低温異常とみなし、ビニールハウス管理者２０００Ｂの携帯電話のみならず、ビニールハウスオーナー３０００や統括管理者４０００等、より上位の管理者の携帯電話およびパソコンへ異常情報を送信する。Ｉの状態においても同様に高温異常とみなし、異常情報を送信する。
【００３４】
警報および異常情報は、状態が通常状態へと復帰するまで定期的に送信される。また、警報および異常情報の送信先は閾値ごとに設定可能である。
【００３５】
同様の構成および動作を湿度、気圧等に関しても実行可能であり、測定対象は特に限定しない。
【００３６】
（実施の形態の効果）
上記した実施の形態によると、温度閾値を複数設定可能としたため、厳重な温度管理を必要とする対象を取り扱うことができるようになる。
【００３７】
また、閾値ごとに警報および異常情報を送信する送信先を設定可能なため、送信先の管理レベルに基づいた情報管理が可能となる。
【００３８】
なお、警報および異常情報送信のタイミングとしては、測定温度が通常状態から逸脱した瞬間でなくとも、ある一定の累積時間、頻度等の積算値を設定し、その設定値を超えたタイミングで送信してもよい。
【図面の簡単な説明】
【００３９】
【図１】本発明の実施の形態に関する監視コントローラの設置例および外部との接続を示す概略図である。
【図２】本発明の実施の形態に関する監視コントローラの構成を示す概略図である。
【図３】本発明の実施の形態に関する監視コントローラの構成を示すブロック図である。
【図４】本発明の実施の形態に関する温度センサの測定した温度履歴を示すグラフ図である。
【符号の説明】
【００４０】
１…監視コントローラ、２…ビニールハウス、３…プランタ、１０…センササーバ、１１…接点ユニット、１２…認証キーソケット、１３…温度センサ、１４…温度センサ、１５…無線受信部、１６…温度センサ、１７…温度センサ、２０…信号入出力部、３０…信号処理部、４０…電力供給部、１１０…アドレススイッチ、１１１…入出力部、２００…入出力端子、２０２…ドライバ、２０３…信号線、２０４…イーサネット端子、２０５…ＲＳ−２３２Ｃドライバ、２０６…信号線、２０７…ＲＳ−２３２Ｃ端子、２０９…ＬＡＮケーブル、３００…主制御部、３０１…駆動回路、３０２…時計回路、３１０…記憶部、３１１…ＳＲＡＭ、３１２…フラッシュメモリ、３１３…電源監視部、３１４…バックアップ電源、４００…電源コネクタ、４０１…ノイズフィルタ、４０２…スイッチング電源部、４０３…レギュレータ回路、４０４…レギュレータ回路、１０００…インターネット、２０００Ａ…メールサーバ、２０００Ｂ…ビニールハウス管理者、３０００…ビニールハウスオーナー、４０００…統括管理者
【図１】
2007280131.tif 000003
【図２】
2007280131.tif 000004
【図３】
2007280131.tif 000005
【図４】
2007280131.tif 000006